(57)【特許請求の範囲】
【請求項１】
地中構造物の枠体とこの枠体に開閉可能に取付けられた蓋体とを備え、前記蓋体の周縁に鍵孔を設けるとともにこの蓋体の裏面に弁体を揺動可能に軸支し、この弁体の一端に弁蓋を設けるとともに他端にウェイトを設け、前記弁体が揺動することによって前記弁蓋を前記鍵孔に出入可能とし、且つ、前記弁蓋を前記弁体に設けられた弁座とこの弁座に載置固定されたシール材とから構成し、前記枠体における前記鍵孔の対向する位置に凹部を形成するとともに前記シール材の先端縁を前記蓋体の周縁よりも突出させ前記凹部に侵入するようにした地中構造物の蓋体用防水装置において、前記凹部の上部内壁面が略水平であるとともにこの凹部の上部内壁面に前記シール材の上面を接触可能にしたことを特徴とする地中構造物の蓋体用防水装置。
【請求項２】
請求項１の地中構造物の蓋体用防水装置において、前記シール材の先端縁をテーパ状にしたことを特徴とする。
【請求項３】
請求項１の地中構造物の蓋体用防水装置において、前記シール材における先端縁の裏面を斜め傾斜状にしたことを特徴とする。
【発明の詳細な説明】
【０００１】
【発明の属する技術分野】
この発明は地中構造物の蓋体用防水装置に関し、マンホール、ＣＣボックス等に使用されるものである。
【０００２】
【従来の技術】
まず、地中構造物の従来例としてマンホールを採り上げ、図３に基づいて説明する。
【０００３】
図において、Ｍは鉄蓋、10はその枠体である。また、20は蓋体であり、前記枠体10の内周面にヒンジ（図示せず）によって揺動可能に設置されている。また、21は鍵孔であり、前記蓋体20におけるヒンジと反対端に設けられている。この鍵孔21はＵ字状の切り欠き状である。30は弁体であり、前記蓋体20の裏面に軸31によって揺動可能に軸支されている。この弁体30は前記軸31の部分を中心として略Ｌ字状に形成されて、上端に弁蓋50を有している。この弁蓋50は前記蓋体20における鍵孔21を裏面から覆うものである。また、この弁蓋50は、前記弁体30に一体形成された弁座51にパッキン52を載置し、抑え板53で挟んだ状態で前記弁座51にビス54止めし、前記鍵孔21を覆ったときの水密性を維持している。なお、Ｈは中構造物であるマンホールを示している。
【０００４】
32は係止具であり、前記弁体30における下端側に形成されている。この係止具32を前記蓋体10の係止突起11に係止することによって前記蓋体20を前記枠体10に対してロックすることができる。なお、前記弁蓋50が前記鍵孔21を覆った状態のときは前記係止具32はロック状態にある。
【０００５】
次に、60はウェイトであり、前記弁体30と一体形成されている。このウェイト60は前記弁体30を前記鍵孔21の閉止方向へ回転（図において時計回り）させようとする。また、70はスプリングであり、前記蓋体20の裏面と前記弁体30との間に設置され、常時、弁体20を弁蓋30が閉止する方向（図において時計回り）へ付勢している。
【０００６】
【発明が解決しようとする課題】
しかしながら、かかる従来の地中構造物の蓋体用防水装置にあっては、前記パッキン52の先端面がフラットであるとともに前記枠体10の内周面が上方に向かって拡径するテーパ状に形成されていたため、前記鍵孔21において、前記枠体10の内周面と前記パッキン52の先端面との間に若干の隙間が発生し、この結果、雨水等がわずかながら侵入するという不都合を有した。
【０００７】
この発明の課題は前記不都合を解消することである。
【０００８】
【課題を解決するための手段】
この課題を達成するために、この発明に係る地中構造物の蓋体用防水装置においては、地中構造物の枠体とこの枠体に開閉可能に取付けられた蓋体とを備え、前記蓋体の周縁に鍵孔を設けるとともにこの蓋体の裏面に弁体を揺動可能に軸支し、この弁体の一端に弁蓋を設けるとともに他端にウェイトを設け、前記弁体が揺動することによって前記弁蓋を前記鍵孔に出入可能とし、且つ、前記弁蓋を前記弁体に設けられた弁座とこの弁座に載置固定されたシール材とから構成し、前記枠体における前記鍵孔の対向する位置に凹部を形成するとともに前記シール材の先端縁を前記蓋体の周縁よりも突出させ前記凹部に侵入するようにした地中構造物の蓋体用防水装置において、前記凹部の上部内壁面が略水平であるとともにこの凹部の上部内壁面に前記シール材の上面を接触可能にしたため、前記シール材が前記凹部の上部内壁面に接触した際に、このシール材の上面と前記凹部の上部内壁面とが面接触する結果、前記シール材と前記枠体の内周面との間には隙間は殆ど発生しないものである。
【０００９】
なお、前記シール材の先端縁をテーパ状にすれば、たわみやすくなるため、前記蓋体を前記枠体に内嵌めする際に、前記シール材の突出した先端縁を前記枠体10の前記凹部に収容させやすいものである。
【００１０】
また、前記シール材における先端縁の裏面を斜め傾斜状にすれば、表面側にたわみやすくなるため、前記蓋体を前記枠体に内嵌めする際に、前記シール材の突出した先端縁を前記枠体の前記凹部に収容させるにあたって、より一層、簡易に作業することができる。
【００１１】
【発明の実施の形態】
図１はこの発明に係る地中構造物の蓋体用防水装置のロック状態の断面図、図２は図１におけるII矢視の部分図である。
【００１２】
図１および図２に基づいて、この発明の実施例を説明するが、前記した従来と同じ構成の部分は説明を省略する。
【００１３】
Ｄはこの発明に係る地中構造物の蓋体用防水装置である。また、12は凹部（穴部を含む）であり、前記枠体10の内周面に形成されている。この凹部12の上部内壁面は略水平状であるが、下部壁面は傾斜状に広がっており、前記係止突起11の裏面に連なっている。
【００１４】
また、前記パッキン（本発明の「シール材」に相当する）52の先端縁は、前記蓋体20の周縁よりも突出している。そして、前記弁蓋50が閉止状態のときにおいて前記凹部12に侵入している。このとき、このパッキン52の上面は、前記スプリング70およびウェイト60の作用によって、前記凹部12の上部内壁面に圧接している。このため、前記鍵孔21において、前記パッキン52と前記枠体10との間には隙間は発生せず、水密性が維持される。
【００１５】
なお、前記パッキン52の先端縁はテーパ状であるためたわみやすく、よって、前記蓋体20を前記枠体10に内嵌めする際に、当該パッキン52の突出した先端縁を前記枠体10の凹部12に収容させやすいものである。また、テーパ状にする際に、前記パッキン52の先端縁の裏面を斜め傾斜状としたので、その先端縁は表面側（上面側）にたわみやすくなるため、前記蓋体20を前記枠体10に内嵌めする作業はより一層、簡易になる。
【００１６】
なお、この実施例における、前記枠体10および前記蓋体20は鋳造によって製造される。
【００１７】
【発明の効果】
この発明に係る地中構造物の蓋体用防水装置は、地中構造物の枠体とこの枠体に開閉可能に取付けられた蓋体とを備え、前記蓋体の周縁に鍵孔を設けるとともにこの蓋体の裏面に弁体を揺動可能に軸支し、この弁体の一端に弁蓋を設けるとともに他端にウェイトを設け、前記弁体が揺動することによって前記弁蓋を前記鍵孔に出入可能とし、且つ、前記弁蓋を前記弁体に設けられた弁座とこの弁座に載置固定されたシール材とから構成し、前記枠体における前記鍵孔の対向する位置に凹部を形成するとともに前記シール材の先端縁を前記蓋体の周縁よりも突出させ前記凹部に侵入するようにした地中構造物の蓋体用防水装置において、前記凹部の上部内壁面が略水平であるとともにこの凹部の上部内壁面に前記シール材の上面を接触可能にしたため、前記前記シール材が前記凹部の上部内壁面に接触した際に、このシール材の上面と前記凹部の上部内壁面とが面接触する結果、前記シール材と前記枠体の内周面との間には隙間は殆ど発生しないものである。
【００１８】
よって、この地中構造物の蓋体用防水装置を使用すれば、従来と異なり、蓋体の鍵孔から雨水等が侵入するのを防止することができる。
【００１９】
なお、前記シール材の先端縁をテーパ状にすれば、たわみやすくなるため、前記蓋体を前記枠体に内嵌めする際に、前記シール材の突出した先端縁を前記枠体10の前記凹部に収容させやすいものである。
【００２０】
また、前記シール材における先端縁の裏面を斜め傾斜状にすれば、表面側にたわみやすくなるため、前記蓋体を前記枠体に内嵌めする際に、前記シール材の突出した先端縁を前記枠体の前記凹部に収容させるにあたって、より一層、簡易に作業することができる。
【図面の簡単な説明】
【図１】    この発明に係る地中構造物の蓋体用防水装置の実施例のロック状態の断面図である。
【図２】    図２は図１におけるII矢視の部分図である。
【図３】    図１に相当する従来例の図である。
【符号の説明】
Ｄ  …  蓋体用防水装置
Ｈ  …  マンホール（地中構造物）
Ｍ  …  鉄蓋
10  …  枠体
12  …  凹部
20  …  蓋体
21  …  鍵孔
30  …  弁体
50  …  弁蓋
51  …  弁座
52  …  シール材
60  …  ウェイト
【図１】
0004489926.tif 000002
【図２】
0004489926.tif 000003
【図３】
0004489926.tif 000004